(57)【特許請求の範囲】
【請求項１】
鎖鋸装置の案内板の周囲に回転可能に備えられた鎖鋸の刃であって鎖鋸に対して互いに逆方向の逃げ角を有する一の刃及び他の刃を研削する装置であり、該鎖鋸装置が置かれた一定面の上に起立しつつ該案内板に固定されて該案内板を支持する脚部と、グラインダーを略水平方向及び上下方向へ移動させて該グラインダーの砥石を該鎖鋸の刃に接触させ得るように該脚部上に支持する支持手段とを備え、
前記支持手段が、前記脚部上のピンのまわりに回動可能なように取り付けられている弾性を有する湾曲状のアームと、該アームの先端に固定されてグラインダーを保持するホルダーとを備えて構成され、
前記グラインダーを前記アームの付勢力に抗して押し下げて、該アームの先端に設けられた係合部材を、前記脚部の上部に設けられた２個の溝の中の一の溝に係合させることにより、前記砥石を一の刃に接触させ得る状態で、前記鎖鋸に対する左右方向へのグラインダーの移動を止めるとともに、該アームを前記ピンのまわりに回動させ、該グラインダーを該アームの付勢力に抗して押し下げて、該係合部材を他の溝に係合させることにより、該砥石を他の刃に接触させ得る状態で、前記鎖鋸に対する左右方向へのグラインダーの移動を止めることを特徴とする鎖鋸研削装置。
【発明の詳細な説明】
【０００１】
【発明の属する技術分野】
本発明は、チェーンソーに備えられている鎖鋸の刃を研削するための鎖鋸研削装置に関する。
【０００２】
【従来の技術】
従来から、木材等の切断作業には、チェーンソー（鎖鋸装置）が使用されている。このチェーンソーは、図１５に示すように、チェーンソー１の案内板２の周囲に備えられている鎖鋸３を、駆動手段４を駆動させることにより、案内板２のまわりに回転させて、木材等を切断できるようにされている。鎖鋸３は、図１６に示すように、鎖鋸３の回転方向に対して左側方向への逃げ角を有する刃５ａと、回転方向に対して右側方向への逃げ角を有する刃５ｂとを備えている。
【０００３】
このような鎖鋸３は、使用後に廃却せずに何度も使用するために、刃５ａ及び５ｂの研削作業が行われている。この研削作業は、例えば図１５に示すように、手７でグラインダー８を保持しつつ砥石９を刃５ａ又は５ｂに押し当てることにより、行われている。
【０００４】
【発明が解決しようとする課題】
しかし、鎖鋸３の刃５ａ又は５ｂは小さなものであるため、グラインダー８を手７で押し当てるのは困難であった。このため、グラインダー８を手７で押し当てて研削作業を行っている時に、グラインダー８の砥石９が刃５ａ又は５ｂから外れてしまい、手７が刃５ａ又は５ｂに当たってしまうこともあり、危険であった。また、グラインダー８を押し当てるためには、大きな力が必要であり、手７の疲労を伴った。また、手７でグラインダー８を押し当てたのでは、グラインダー８を刃５ａ又は５ｂの一定の位置に接触させて保持することは困難であり、精度良く研削することは困難であった。
【０００５】
そこで、本発明者は、このような課題を解決するべく鋭意研究した結果、本発明に到達した。
【０００６】
【課題を解決するための手段】
本発明に係る鎖鋸研削装置の要旨とするところは、鎖鋸装置の案内板の周囲に回転可能に備えられた鎖鋸の刃であって鎖鋸の回転方向に対して互いに逆方向の逃げ角を有する一の刃及び他の刃を研削する装置であり、該鎖鋸装置が置かれた一定面の上に起立しつつ該案内板に固定されて該案内板を支持する脚部と、グラインダーを略水平方向及び上下方向へ移動させて該グラインダーの砥石を該鎖鋸の刃に接触させ得るように該脚部上に支持する支持手段とを備えたことにある。特には、前記支持手段が、前記脚部上のピンのまわりに回動可能なように取り付けられている弾性を有する湾曲状のアームと、該アームの先端に固定されてグラインダーを保持するホルダーとを備えて構成され、前記グラインダーを前記アームの付勢力に抗して押し下げて、該アームの先端に設けられた係合部材を、前記脚部の上部に設けられた２個の溝の中の一の溝に係合させることにより、前記砥石を一の刃に接触させ得る状態で、前記鎖鋸に対する左右方向へのグラインダーの移動を止めるとともに、該アームを前記ピンのまわりに回動させ、該グラインダーを該アームの付勢力に抗して押し下げて、該係合部材を他の溝に係合させることにより、該砥石を他の刃に接触させ得る状態で、前記鎖鋸に対する左右方向へのグラインダーの移動を止めることを特徴とする。
【０００７】
このような本発明の鎖鋸研削装置は、まず、支持手段にグラインダーが取り付けられ、螺子等によって固定される。次に、机等の上に置かれたチェーンソーの案内板１４に、グラインダーが螺子等によって固定される。脚部が案内板に固定されることにより、脚部は机等の上に起立し、チェーンソーの底部と脚部とによって、チェーンソーが机の上に支持されることとなる。
【０００８】
次に、グラインダーが駆動させられ、グラインダーが支持手段によって支持されつつ、略水平方向及び上下方向に移動させられ、砥石が鎖鋸の刃に接触させられる。砥石が刃に接触した状態で、刃が研削されていく。
【０００９】
次に、一の刃の研削が終了すると、グラインダーが略水平方向又は上下方向に移動させられ、砥石が一の刃から離隔させられる。砥石が一の刃から離隔させられた状態で、鎖鋸が案内板のまわりに回動させられることにより、砥石が他の刃に接触可能なように調節される。ここで、他の刃は、一の刃とは逃げ角の方向の違う刃である。次に、グラインダーが略水平方向及び上下方向に移動させられ、砥石が鎖鋸の他の刃に接触させられる。砥石が他の刃に接触した状態で、他の刃が研削されていく。以上のようにして、一の刃及び他の刃を含む複数枚の刃が順次研削されていく。
【００１０】
また、本発明に係る鎖鋸研削装置の要旨とするところは、前記鎖鋸研削装置において、前記アームが、前記グラインダーに対して該鎖鋸から離隔する方向の付勢力を付与することにある。
【００１１】
このような本発明の鎖鋸研削装置は、グラインダーを支持し、弾性を有するアーム等によって、グラインダーに対して、鎖鋸から離隔する方向の付勢力が付与される。鎖鋸から離隔する方向の付勢力が付与されるため、グラインダーを押し当てる力を緩めることによりグラインダーが鎖鋸から離隔するため、砥石を断続的に刃に接触させつつ研削状況を確認しながら、研削作業が行われる。砥石を断続的に刃に接触させつつ研削状況を確認しながら、研削作業が行われるため、余分に研削し過ぎて刃が破損することはない。また、研削状況を確認しながら、研削作業が行われるため、研削精度が向上する。
【００１２】
また、本発明に係る鎖鋸研削装置の要旨とするところは、前記鎖鋸研削装置において、前記グラインダーの砥石を前記鎖鋸の刃に接触させた状態で該グラインダーを止める規制手段を備えたことにある。
【００１３】
このような本発明の鎖鋸研削装置は、グラインダーが略水平方向及び上下方向へ移動させられ、グラインダーの砥石が鎖鋸の刃に接触させられた状態でグラインダーが止められる。例えば、グラインダーが回動させられ、下へ押し下げられた時に、グラインダーと一体的に回動等する係合部材が脚部に固定された溝に係合させられる等して、グラインダーの砥石が鎖鋸の刃に接触させられた状態でグラインダーが止められる。このようにして、砥石が刃に接触した状態で、刃が研削されていく。
【００１４】
【発明の実施の形態】
次に、本発明に係る鎖鋸研削装置の実施の形態について、図面に基づいて詳しく説明する。
【００１５】
図１及び図２において、符号１０は本発明に係る鎖鋸研削装置である。この鎖鋸研削装置１０は、チェーンソー１２の案内板１４の周囲に回転可能に備えられた鎖鋸１６の刃１８ａ又は１８ｂを研削する装置であり、チェーンソー（チェーンソー）１２が置かれた机（一定面）２２の上に起立しつつ案内板１４に固定されて案内板１４を支持する脚部２４と、グラインダー２６を略水平方向及び上下方向へ移動させてグラインダー２６の砥石２８を鎖鋸１６の刃１８ａ又は１８ｂに接触させ得るように脚部２４上に支持する支持手段３０とを備えている。
【００１６】
脚部２４は、図２に示すように、正面及び背面に孔３２が備えられており、この孔３２に案内板１４を通して、螺子３４を案内板１４に押し当てて、案内板１４に固定できるようにされている。また、脚部２４の下端部は折り曲げられており、机２２の上に安定して立てられるようにされている。なお、本実施の形態においては、脚部２４の下端部を机２２に固定する手段は備えられていない。
【００１７】
また、支持手段３０は、水平面内でピン３１のまわりに回動可能なように脚部２４上に取り付けられている湾曲状のアーム３５と、このアーム３５の先端に固定され、グラインダー２６を保持するホルダー３６とを備えて構成されている。アーム３５は、弾性を有する部材から構成されており、アーム３５の付勢力に抗してグラインダー２６を下方向へ押し下げることができるようにされている。すなわち、アーム３５が、グラインダー２６に対して鎖鋸１６から離隔する方向の付勢力を付与する付勢手段となっている。このため、支持手段３０をピン３１のまわりに回動できるとともに、グラインダー２６を下方向へ押し下げることができるようにして、グラインダー２６を略水平方向及び上下方向へ移動させてグラインダー２６の砥石２８を鎖鋸１６の刃１８ａ又は１８ｂに接触させることができる。ここで、アーム３５の材質は弾性を有するものであれば、金属又は樹脂等、特に限定されない。なお、ホルダー３６の頂上には、レバー３８が備えられており、このレバー３８を手で押し下げることにより、グラインダー２６を押し下げることができるようにされている。
【００１８】
また、アーム３５の先端には、係合部材４０が備えられる一方で、脚部２４の上部には、この係合部材４０が係合される金具４２が備えられている。この金具４２の係合部４４には、図２に示すように、２個の溝４６ａ及び４６ｂが備えられており、いずれか一方の溝４６に係合部材４０を係合させることにより、グラインダー２６の砥石２８を鎖鋸１６の刃１８ａ又は１８ｂに接触するように、アーム３５を一定角度回転させて止めることができるようにされている。すなわち、係合部材４０と、金具４２とによって規制手段４８が構成されている。
【００１９】
このような鎖鋸研削装置１０は、まず、ホルダー３６にグラインダー２６が取り付けられ、螺子３７によって締結されて固定される。次に、机２２の上に置かれたチェーンソー１２の案内板１４が脚部２４の孔３２に、グラインダー２６の砥石２８側から通され、螺子３４が締めつけられて案内板１４に固定される。脚部２４が案内板１４に固定されることにより、脚部２４は机２２の上に起立し、チェーンソー１２の底部４９と脚部２４とによって、チェーンソー１２が机２２の上に支持されることとなる。
【００２０】
次に、グラインダー２６が駆動させられ、レバー３８が手で保持され、ピン３１のまわりに時計まわりに回動させられ、下へ押し下げられる。レバー３８が、ピン３１のまわりに時計まわりに回動させられて下へ押し下げられることにより、係合部材４０が溝４６ａに係合させられる。なお、時計まわりの回動角度は、刃１８ａの逃げ角が３５度であるため、鎖鋸１６に対して３５度である。係合部材４０が溝４６ａに係合させられた場合、図４（ａ）に示すように、砥石２８が鎖鋸１６の刃１８ａに接触することとなる。ここで、鎖鋸１６が案内板１４のまわりに回動させられることにより、砥石２８が刃１８ａに接触するように調節される。このようにして、砥石２８が刃１８ａに接触した状態で、刃１８ａが研削されていく。
【００２１】
次に、一の刃１８ａの研削が終了すると、レバー３８から手が緩められることにより、アーム３５が弾性的に復元させられ、グラインダー２６がアーム３５の付勢力によって押し上げられる。グラインダー２６が押し上げられることにより、係合部材４０が溝４６ａから解除させられる。係合部材４０が溝４６ａから解除させられた状態で、鎖鋸１６が案内板１４のまわりに回動させられることにより、砥石２８が刃１８ｂに接触可能なように調節される。次に、レバー３８が、ピン３１のまわりに反時計まわりに回動させられて下へ押し下げられることにより、係合部材４０が溝４６ｂに係合させられる。なお、反時計まわりの回動角度は、刃１８ａの逃げ角が３５度であるため、鎖鋸１６に対して３５度である。係合部材４０が溝４６ｂに係合させられた場合、図４（ｂ）に示すように、砥石２８が鎖鋸１６の刃１８ｂに接触することとなる。このようにして、砥石２８が刃１８ｂに接触した状態で、刃１８ｂが研削されていく。以上のようにして、刃１８ａ及び１８ｂが順次研削されていく。
【００２２】
このような鎖鋸研削装置１０によれば、グラインダー２６をピン３１のまわりに回動させて水平方向へ移動させ、又はアーム３５の付勢力に抗して押し下げることにより、グラインダー２６の砥石２８を鎖鋸１６の刃１８ａ又は１８ｂに接触させることができる。このため、手でグラインダー２６を保持して刃１８ａ又は１８ｂへ押し当てる場合と異なり、容易に砥石２８を刃１８ａ又は１８ｂに接触させることができる。また、グラインダー２６をアーム３５によって支持しているため、手でグラインダー２６を保持して刃１８ａ又は１８ｂへ押し当てる場合と異なり、砥石２８が刃１８ａ又は１８ｂから外れて、グラインダー２６を保持する手が砥石に当たってしまうことかない。このため、安全に研削作業を行うことができる。
【００２３】
また、本発明の鎖鋸研削装置１０によれば、グラインダー２６をアーム３５によって支持しつつ砥石２８を刃１８ａ又は１８ｂに接触させるため、手でグラインダー２６を保持して刃１８ａ又は１８ｂへ押し当てる場合と異なり、砥石２８を刃１８ａ又は１８ｂに接触させる力が少なくて済む。このため、手の疲労が少なくて済み、研削作業が容易になる。また、グラインダー２６をアーム３５によって支持しつつ砥石２８を刃１８ａ又は１８ｂに接触させるため、手でグラインダー２６を保持して刃１８ａ又は１８ｂへ押し当てる場合と異なり、一定の位置にグラインダー２６を支持しつつ砥石２８を刃１８ａ又は１８ｂに接触させることができる。このため、刃１８ａ又は１８ｂの研削精度を向上させることができる。
【００２４】
また、本発明の鎖鋸研削装置１０によれば、研削作業中は、チェーンソー１２の底部４９と鎖鋸研削装置１０の脚部２４によって、チェーンソー１２等を支持することができる。このため、手でグラインダー２６を保持して刃１８ａ又は１８ｂへ押し当てる場合と異なり、研削作業中にチェーンソー１２が押し動かされることがなく、研削作業の精度及び安全性を向上させることができる。
【００２５】
また、本発明の鎖鋸研削装置１０によれば、鎖鋸１６を案内板１４のまわりに回動させつつ刃１８ａ又は１８ｂを順次研削していくことができる。このため、鎖鋸１６が使用されることにより、その長さが伸びてしまった場合であっても、鎖鋸１６を案内板１４のまわりに回動させて、砥石２８を刃１８ａ又は１８ｂに接触させることができる。
【００２６】
また、本発明の鎖鋸研削装置１０によれば、弾性を有するアーム３５によって、グラインダー２６に対して、鎖鋸１６から離隔する方向の付勢力を付与することができる。このため、レバー３８を保持する手を緩めることによりグラインダー２６が鎖鋸１６から離隔するため、砥石２８を断続的に刃１８ａ又は１８ｂに接触させつつ研削状況を確認しながら、研削作業を行っていくことができ、余分に研削し過ぎて刃１８ａ又は１８ｂが破損することがなくなる。また、研削状況を確認しながら、研削作業を行っていくことができるため、研削精度を向上させることができる。
【００２７】
また、本発明の鎖鋸研削装置１０によれば、規制手段４８の係合部材４０を溝４６に係合させることによって、グラインダー２６をピン３１のまわりに回動させる角度を一定角度に規制し、グラインダー２６の砥石２８を鎖鋸１６の刃１８ａ又は１８ｂに接触させた状態でグラインダー２６を止めることができる。このため、砥石２８を刃１８ａ又は１８ｂに確実に接触させた状態で止めることができ、研削精度を向上させることができる。また、係合部材４０を溝４６ａ又は４６ｂへ順次係合させつつ、鎖鋸１６の回転方向に対して左側方向への逃げ角を有する刃１８ａと、回転方向に対して右側方向への逃げ角を有する刃１８ｂとを順次研削していくことができる。このため、異なる逃げ角を有する刃を備えた鎖鋸であっても、その刃を容易に順次研削していくことができる。
【００２８】
以上、本発明の実施の一形態について説明したが、本発明に係る円盤刃研削装置は、その他の形態でも実施し得るものである。
【００２９】
例えば、本発明の鎖鋸研削装置１０において、図５に示すような、鎖鋸回動手段５０を備えても良い。この鎖鋸回動手段５０は、鎖鋸１６に接するローラー５２と、このローラー５２を回動可能に脚部２４に取り付けるピン５４とから構成されている。このような鎖鋸回動手段５０によれば、ローラー５２を回動させることにより、鎖鋸１６を案内板１４のまわりに順次回動させていくことができる。このため、一の刃の研削が終了して次の刃を研削する場合に、鎖鋸１６を手で回動させる必要がなくなる。
【００３０】
また、グラインダー２６に、図６に示すような刃部押さえ板５６を備えても良い。この刃部押さえ板５６は、研削中に刃部５８を斜め上方向から押さえることができるようにされている。このような刃部押さえ板５６によれば、刃部５８を押さえることにより、鎖鋸１６が砥石２８から受ける抵抗力によって、反時計まわりに回動するのを防止することができる。このため、鎖鋸１６が反時計まわりに回動して砥石２８から離隔するのを防止でき、研削の作業効率を向上させることができる。
【００３１】
また、本発明の鎖鋸研削装置１０において、図７に示すように、規制手段４８の金具４２の溝４６ａ及び４６ｂを下へ向かうに従ってその幅が狭くなるように構成しても良い。このような溝４６を備えることにより、グラインダー２６を押し下げるに従って、係合部材４０が金具４２の中心部方向へ移動する。係合部材４０が金具４２の中心部方向へ移動すると、グラインダー２６の砥石２８がより強く鎖鋸１６の刃１８に接触することとなる。このため、グラインダー２６を押し下げ、又は力を緩めて上げたりすることにより、砥石２８と刃１８との接触状態を調節することができる。また、砥石２８又は刃１８が、ある程度擦り減っていたとしても、砥石２８を確実に刃１８に接触させることができる。
【００３２】
また、本発明の鎖鋸研削装置１０において、図８に示すように、グラインダー２６を前後に摺動させる摺動手段６０を脚部２４上に備えても良い。この摺動手段６０は、脚部２４の上部に水平方向に固定されたキー６２と、アーム３５及び金具４２が取り付けられ、キー６２に沿って摺動する摺動部材６４とから構成されている。このような摺動手段６０を備えることにより、グラインダー２６を前後方向にも移動させつつ、砥石２８を鎖鋸１６に接触させることができる。
【００３３】
また、この摺動手段６０において、図９に示すように、摺動部材６４の下部に螺合部材６６を固定し、この螺合部材６６に螺子棒６８を螺入し、この螺子棒６８を手で回動し得る摘子７０を備えても良い。このような螺合部材６６等を備えることにより、摘子７０を回動させることにより、摺動部材６４を前後に摺動させることができる。このため、グラインダー２６を前後方向に微調節して、砥石２８を鎖鋸１６に接触させることができる。
【００３４】
また、本発明の鎖鋸研削装置１０において、図１０に示すような支持手段７２を備えても良い。この支持手段７２は、水平方向へ回動可能に脚部２４上に取り付けられた回動円盤７４と、鉛直面方向へ回動可能に回動円盤７４に取り付けられ、ホルダー３６が固定されたアーム７６と、このアーム７６に対して上方向への付勢力を付与するバネ（付勢手段）７８とを備えている。回動円盤７４には、回動円盤７４に固定された突起部材８０と、この突起部材８０を止めるストッパー８２とから構成される規制手段８４を備えている。なお、回動円盤７４が規制手段８４によって規制されつつ水平方向に回動できる角度は、図１０（ｂ）に示すように、左右両方へ３５度と更にクリアランス分のＣ度である。このような支持手段７２によっても、グラインダー２６を水平方向及び上下方向へ移動させて砥石２８を鎖鋸１６へ接触させて研削することができる。
【００３５】
また、本発明の鎖鋸研削装置１０において、図１１に示すような支持手段８６を備えても良い。この支持手段８６は、螺子９４を緩めることにより、脚部２４に対して上下に摺動可能な摺動部材９２と、この摺動部材９２上に水平方向へ回動可能に取り付けられた回動円盤８８と、回動円盤８８とホルダー３６とを固定するアーム９０とを備えている。このような支持手段８６によっても、回動円盤８８を水平方向へ回動させるとともに、摺動部材９２を上下に摺動させることにより、グラインダー２６を水平方向及び上下方向へ移動させて砥石２８を鎖鋸１６へ接触させて研削することができる。
【００３６】
次に、本発明の鎖鋸研削装置１０において、図１２に示すようなアーム（付勢手段）９６を備えても良い。このアーム９６は、脚部２４の下付近に固定されており、鉛直面内での回動中心９７がグラインダー２６の砥石２８よりも下方に位置するようにされている。また、アーム９６は弾性を有する２本のワイヤー状部材から構成されており、上下だけでなく略水平方向にも弾性的に曲げることができるようにされている。なお、本実施の形態において、規制手段は特に備えられていない。このようなアーム９６によれば、その回動中心９７が砥石２８よりも下方に位置するため、グラインダー２６を下方向へ押さえるに従って砥石２８が鎖鋸１６の刃１８に近づいていくこととなる。このため、グラインダー２６を下方向へ押さえることにより、砥石２８を鎖鋸１６の刃１８に容易に接触させることができる。
【００３７】
また、本発明の鎖鋸研削装置１０において、図１３に示すようなアーム（付勢手段）９８を備えても良い。このアーム９８は、弾性を有する部材から成り、案内板１４の先端側へ延びるようにされている。このようなアーム９８によっても、グラインダー２６を下方向へ押さえるに従って砥石２８が鎖鋸１６の刃１８に近づいていくこととなる。このため、グラインダー２６を下方向へ押さえることにより、砥石２８を鎖鋸１６の刃１８に容易に接触させることができる。
【００３８】
また、本発明の鎖鋸研削装置１０において、図１４に示すような鎖鋸送り手段１００を備えても良い。この鎖鋸送り手段１００は、脚部２４に固定された固定部材１０２と、この固定部材１０２に対してピン１０４のまわりに回動させられる係合部材１０６とから構成されている。この鎖鋸送り手段１００によれば、係合部材１０６を鎖鋸１６に係合させつつ回動させることにより、鎖鋸１６を順次送っていくことができる。このため、鎖鋸１６を手で送っていく必要はない。
【００３９】
以上、本発明の実施例について、図面に基づいて説明したが、本発明の鎖鋸研削装置はその他の態様でも実施し得るものである。
【００４０】
例えば、本発明の鎖鋸研削装置を使用するチェーンソー（鎖鋸装置）及び鎖鋸は、上述のものには限定されず、その他の型のものであっても良い。また、脚部の形状は上述のものに限定されず、一定面の上に起立しつつ案内板に固定されて案内板を支持できれば良い。また、チェーンソー又は脚部を机（一定面）上に螺子又は磁石等によって固定しても良い。また、脚部を机（一定面）上で摺動させ得るようにしても良い。また、支持手段にリンク機構を備え、このリンク機構によってグラインダーを前後に移動させるようにしても良い。また、グラインダーの略水平面内での回動角度は、上述のような３５度には限定されず、例えば、刃の逃げ角が５５度である場合には、回動角度は鎖鋸に対して左右に５５度となるように構成される。さらに、その他の逃げ角を有する刃を研削する場合には、グラインダーの左右への回動角度は、その逃げ角と略同一に構成される。
【００４１】
その他、本発明はその趣旨を逸脱しない範囲で当業者の知識に基づき種々なる改良、修正、変形を加えた形態で実施できるものである。
【００４２】
【発明の効果】
本発明の鎖鋸研削装置によれば、グラインダーを略水平方向及び上下方向へ移動させて、グラインダーの砥石を鎖鋸の刃に接触させることができる。このため、手でグラインダーを保持して刃へ押し当てる場合と異なり、容易に砥石を刃に接触させることができる。また、グラインダーを支持手段によって支持しているため、手でグラインダーを保持して刃へ押し当てる場合と異なり、砥石が刃から外れて、グラインダーを保持する手が砥石に当たってしまうことかない。このため、安全に研削作業を行うことができる。
【００４３】
また、本発明の鎖鋸研削装置によれば、グラインダーを支持手段によって支持しつつ砥石を刃に接触させるため、手でグラインダーを保持して刃へ押し当てる場合と異なり、砥石を刃に接触させる力が少なくて済む。このため、手の疲労が少なくて済み、研削作業が容易になる。また、グラインダーを支持手段によって支持しつつ砥石を刃に接触させるため、手でグラインダーを保持して刃へ押し当てる場合と異なり、一定の位置にグラインダーを支持しつつ砥石を刃に接触させることができる。このため、刃の研削精度を向上させることができる。
【００４４】
また、本発明の鎖鋸研削装置によれば、研削作業中は、チェーンソーの底部と鎖鋸研削装置の脚部によって、チェーンソー等を支持することができる。このため、手でグラインダーを保持して刃へ押し当てる場合と異なり、研削作業中にチェーンソーが押し動かされることがなく、研削作業の精度及び安全性を向上させることができる。
【００４５】
また、本発明の鎖鋸研削装置によれば、鎖鋸を案内板のまわりに回動させつつ刃を順次研削していくことができる。このため、鎖鋸が使用されることにより、その長さが伸びてしまった場合であっても、鎖鋸を案内板のまわりに回動させて、砥石を刃に接触させることができる。
【００４６】
また、グラインダーに対して鎖鋸から離隔する方向の付勢力を付与する付勢手段を備えたことを特徴とする本発明の鎖鋸研削装置によれば、付勢手段によって、グラインダーに対して、鎖鋸から離隔する方向の付勢力を付与することができる。このため、グラインダーを押さえる手を緩めることによりグラインダーが鎖鋸から離隔するため、砥石を断続的に刃に接触させつつ研削状況を確認しながら、研削作業を行っていくことができ、余分に研削し過ぎて刃が破損することがなくなる。また、研削状況を確認しながら、研削作業を行っていくことができるため、研削精度を向上させることができる。
【００４７】
また、グラインダーの砥石を前記鎖鋸の刃に接触させた状態で該グラインダーを止める規制手段を備えたことを特徴とする本発明の鎖鋸研削装置によれば、規制手段によって、グラインダー移動を規制し、グラインダーの砥石を鎖鋸の刃に接触させた状態でグラインダーを止めることができる。このため、砥石を刃に確実に接触させた状態で止めることができ、研削精度を向上させることができる。また、鎖鋸の回転方向に対して左側方向への逃げ角を有する刃と、回転方向に対して右側方向への逃げ角を有する刃とを順次研削していくことができる。このため、異なる逃げ角を有する刃を備えた鎖鋸であっても、その刃を容易に順次研削していくことができる。
【図面の簡単な説明】
【図１】本発明に係る鎖鋸研削装置の実施形態を示す側面図である。
【図２】図１に示す鎖鋸研削装置を示す一部破砕正面図である。
【図３】図１に示す鎖鋸研削装置の使用状態を示す一部拡大側面図である。
【図４】図１に示す鎖鋸研削装置の使用状態を示す図であり、同図（ａ）は一の刃を研削する状態を示す拡大平面図であり、同図（ｂ）は他の刃を研削する状態を示す拡大平面図である。
【図５】本発明に係る鎖鋸研削装置の他の実施形態を示す一部側面図である。
【図６】本発明に係る鎖鋸研削装置の更に他の実施形態を示す一部拡大側面図である。
【図７】本発明に係る鎖鋸研削装置の更に他の実施形態を示す一部拡大正面図である。
【図８】本発明に係る鎖鋸研削装置の更に他の実施形態を示す一部側面図である。
【図９】本発明に係る鎖鋸研削装置の更に他の実施形態を示す一部側面図である。
【図１０】本発明に係る鎖鋸研削装置の更に他の実施形態を示す図であり、同図（ａ）は一部側面図であり、同図（ｂ）は一部平面図である。
【図１１】本発明に係る鎖鋸研削装置の更に他の実施形態を示す一部側面図である。
【図１２】本発明に係る鎖鋸研削装置の更に他の実施形態を示す一部側面図である。
【図１３】本発明に係る鎖鋸研削装置の更に他の実施形態を示す側面図である。
【図１４】本発明に係る鎖鋸研削装置の更に他の実施形態を示す側面図である。
【図１５】従来の研削方法を示す側面図である。
【図１６】従来より使用されている鎖鋸を示す図であり、同図（ａ）は平面図であり、同図（ｂ）は側面図である。
【符号の説明】
１０；鎖鋸研削装置
１２；チェーンソー
１４；案内板
１６；鎖鋸
１８ａ，１８ｂ；刃
２２；机（一定面）
２４；脚部
２６；グラインダー
２８；砥石
３０，７２，８６；支持手段
３５，９６，９８；アーム（付勢手段）
３６；ホルダー
４０；係合部材
４２；金具
４６ａ，４６ｂ；溝
４８；規制手段
４９；底部
７８；バネ（付勢手段）
【図１】
0003865151.tif 000002
【図２】
0003865151.tif 000003
【図３】
0003865151.tif 000004
【図４】
0003865151.tif 000005
【図５】
0003865151.tif 000006
【図６】
0003865151.tif 000007
【図７】
0003865151.tif 000008
【図８】
0003865151.tif 000009
【図９】
0003865151.tif 000010
【図１０】
0003865151.tif 000011
【図１１】
0003865151.tif 000012
【図１２】
0003865151.tif 000013
【図１３】
0003865151.tif 000014
【図１４】
0003865151.tif 000015
【図１５】
0003865151.tif 000016
【図１６】
0003865151.tif 000017